(57)【要約】【課題】  有用な他のコンテンツを出力することが可能となる決定システム、及び決定プログラムを提供すること。【解決手段】  対象コンテンツを取得する第１取得部２８１と、他のコンテンツを取得する第２取得部２８２と、位置情報に関する基準である位置基準を含む複数の基準に基づいて、第１取得部２８１が取得した対象コンテンツに対する、第２取得部２８２が取得した他のコンテンツの関連性の度合いであるコンテンツ関連度を決定する決定部２８３と、を備え、複数の基準は、タグ情報に関する基準であるタグ基準、又は画像に関する基準である画像基準を更に含んでおり、決定部２８３は、位置基準と、タグ基準又は画像基準とに基づいて、コンテンツ関連度を決定する。【選択図】図２
2020017092.tif 000002
【特許請求の範囲】
【請求項１】
対象コンテンツを取得する第１取得手段と、
他のコンテンツを取得する第２取得手段と、
位置情報に関する基準である位置基準を含む複数の基準に基づいて、前記第１取得手段が取得した対象コンテンツに対する、前記第２取得手段が取得した他のコンテンツの関連性の度合いであるコンテンツ関連度を決定する決定手段と、
を備える決定システム。
【請求項２】
前記複数の基準は、タグ情報に関する基準であるタグ基準、又は画像に関する基準である画像基準を更に含んでおり、
前記決定手段は、前記位置基準と、前記タグ基準又は前記画像基準とに基づいて、前記コンテンツ関連度を決定する、
請求項１に記載の決定システム。
【請求項３】
前記タグ情報は、行動に関連付けられており、
前記複数の基準は、前記タグ基準を更に含んでおり、
前記タグ基準は、基準行動パターンに関する基準を含んでおり、
前記決定手段は、少なくとも、前記タグ基準に基づいて、前記第１取得手段が取得した対象コンテンツの前記タグ情報に関連する行動に対する、前記第２取得手段が取得した他のコンテンツの前記タグ情報に関連する行動の、前記基準行動パターンを基準にした前記タグ情報の関連性の度合いであるタグ情報関連度を決定し、決定したタグ情報関連度に基づいて、前記コンテンツ関連度を決定する、
請求項２に記載の決定システム。
【請求項４】
前記複数の基準は、行動パターンに関する基準である行動パターン基準、時間に関する基準である時間基準、季節に関する基準である季節基準、又はコンテンツの取得の経緯に関する基準である経緯基準を更に含んでおり、
前記決定手段は、前記位置基準と、前記行動パターン基準、前記時間基準、前記季節基準、又は前記経緯基準とに基づいて、前記コンテンツ関連度を決定する、
請求項１から３の何れか一項に記載の決定システム。
【請求項５】
コンピュータを、
対象コンテンツを取得する第１取得手段と、
他のコンテンツを取得する第２取得手段と、
位置情報に関する基準である位置基準を含む複数の基準に基づいて、前記第１取得手段が取得した対象コンテンツに対する、前記第２取得手段が取得した他のコンテンツの関連性の度合いであるコンテンツ関連度を決定する決定手段と、
として機能させる決定プログラム。
【発明の詳細な説明】
【技術分野】
【０００１】
本発明は、決定システム、及び決定プログラムに関する。
【背景技術】
【０００２】
従来、登録したスケジュールを報知する技術が知られていた（例えば、特許文献１）。この技術においては、登録された期間内に設定された地点に接近した場合に、スケジュールを表示して報知していた。
【先行技術文献】
【特許文献】
【０００３】
【特許文献１】特開２００３−１３０６７２号公報
【発明の概要】
【発明が解決しようとする課題】
【０００４】
しかしながら、実際には、ユーザがスケジュールを実行する場合、当該スケジュールの実行前等に様々な行動（例えば、準備等）を行うことになるが、特許文献１の技術においては、地点に予め対応付けられたスケジュールを表示するのみであったので、当該行動のために有用な情報を出力することが困難であった。
【０００５】
本発明は、上記に鑑みてなされたものであって、有用な他のコンテンツを出力することが可能となる決定システム、及び決定プログラムを提供することを目的とする。
【課題を解決するための手段】
【０００６】
上述した課題を解決し、目的を達成するために、本発明に係る決定システムは、対象コンテンツを取得する第１取得手段と、他のコンテンツを取得する第２取得手段と、位置情報に関する基準である位置基準を含む複数の基準に基づいて、前記第１取得手段が取得した対象コンテンツに対する、前記第２取得手段が取得した他のコンテンツの関連性の度合いであるコンテンツ関連度を決定する決定手段と、を備える。
【０００７】
また、本発明に係る決定プログラムは、コンピュータを、対象コンテンツを取得する第１取得手段と、他のコンテンツを取得する第２取得手段と、位置情報に関する基準である位置基準を含む複数の基準に基づいて、前記第１取得手段が取得した対象コンテンツに対する、前記第２取得手段が取得した他のコンテンツの関連性の度合いであるコンテンツ関連度を決定する決定手段と、として機能させる。
【発明の効果】
【０００８】
本発明に係る決定システムによれば、複数の基準に基づいて、コンテンツ関連度を決定することにより、例えば、多面的な側面からコンテンツの関連度を決定することができるので、対象コンテンツに関して行動するユーザに対して、当該行動に関する有用な他のコンテンツを出力することが可能となる。特に、複数の基準が位置基準を含んでいるので、ユーザが対象コンテンツに関して行動する場合に重要となる項目の１つである位置を考慮してコンテンツ関連度を決定することができ、有用な他のコンテンツを確実に出力することが可能となる。
【０００９】
本発明に係る決定プログラムによれば、複数の基準に基づいて、コンテンツ関連度を決定することにより、例えば、多面的な側面からコンテンツの関連度を決定することができるので、対象コンテンツに関して行動するユーザに対して、当該行動に関する有用な他のコンテンツを出力することが可能となる。特に、複数の基準が位置基準を含んでいるので、ユーザが対象コンテンツに関して行動する場合に重要となる項目の１つである位置を考慮してコンテンツ関連度を決定することができ、有用な他のコンテンツを確実に出力することが可能となる。
【図面の簡単な説明】
【００１０】
【図１】本発明の実施の形態に係る情報システムを例示するブロック図である。
【図２】端末装置を例示するブロック図である。
【図３】コンテンツ情報を例示した図である。
【図４】タグ行動情報を例示した図である。
【図５】予定コンテンツ情報を例示した図である。
【図６】出力処理のフローチャートである。
【発明を実施するための形態】
【００１１】
以下、本発明に係る決定システム、及び決定プログラムの実施の形態について図面を参照しつつ詳細に説明する。ただし、実施の形態によって本発明が限定されるものではない。
【００１２】
本発明に係る決定システムは、コンテンツ関連度を決定するシステムであり、例えば、コンテンツ関連度を決定する専用システム、あるいは、汎用的に用いられるコンピュータ（一例としては、ナビゲーションシステム、パーソナルコンピュータ、スマートフォン等の如き端末装置等）に対してコンテンツ関連度を決定する機能を実装することにより実現されるシステム等を含む概念である。また、決定システムは、例えば、第１取得手段、第２取得手段、及び決定手段を備える。
【００１３】
ここで、「第１取得手段」とは、対象コンテンツを取得する手段であり、また、「第２取得手段」とは、他のコンテンツを取得する手段である。また、「決定手段」とは、位置情報に関する基準である位置基準を含む複数の基準に基づいて、第１取得手段が取得した対象コンテンツに対する、第２取得手段が取得した他のコンテンツの関連性の度合いであるコンテンツ関連度を決定する手段である。
【００１４】
また、「対象コンテンツ」とは、対象となるコンテンツであり、例えば、ユーザによって実行されることが予定されているコンテンツ等を含む概念である。また、「他のコンテンツ」とは、対象コンテンツとは異なる別のコンテンツであり、例えば、過去に実行されたコンテンツ、実行することが予定されているコンテンツ、登録（記録）されたコンテンツ等を含む概念である。また、「コンテンツ」とは、人に関連する情報であり、例えば、ユーザが行う又は行いたい行動に関連する情報、当該行動に関連する情報（計画の情報、合流のための情報、現地の情報等）、あるいは、これら以外の任意の情報を含む概念である。
【００１５】
また、「コンテンツ関連度」とは、第１取得手段が取得した対象コンテンツに対する、第２取得手段が取得した他のコンテンツの関連性の度合いであり、例えば、対象コンテンツを実行するユーザが他のコンテンツに興味を抱く可能性に着目した関連性の度合等を含む概念であり、一例としては、位置情報関連度、タグ情報関連度、画像関連度、行動パターン関連度、時間関連度、季節関連度、又は取得経緯関連度等に基づいて定められる概念である。
【００１６】
また、「位置情報関連度」とは、位置情報に着目した各コンテンツの関連性の度合いであり、また、「タグ情報関連度」とは、タグ情報に着目した各コンテンツの関連性の度合いであり、また、「画像関連度」とは、画像に着目した各コンテンツの関連性の度合いであり、また、「行動パターン関連度」とは、行動パターンに着目した各コンテンツの関連性の度合いであり、また、「時間関連度」とは、時間に着目した各コンテンツの関連性の度合いであり、また、「季節関連度」とは、季節に着目した各コンテンツの関連性の度合いであり、また、「取得経緯関連度」とは、取得経緯に着目した各コンテンツの関連性の度合いである。
【００１７】
また、「位置情報」とは、コンテンツに関連する位置を特定する情報である。「タグ情報」とは、コンテンツに関連する情報であり、例えば、コンテンツの目印として機能する情報等を含む概念であり、一例としては、コンテンツを検索又は並び替えする場合に利用される情報等を含む概念である。また、「タグ情報」とは、例えば、行動に関連付けられているものである。「取得経緯」とは、格納するために各コンテンツを取得した当該各コンテンツの取得に関する事情等を含む概念であり、一例としては、対象コンテンツを実行するユーザが登録のために入力したコンテンツを取得して格納したという経緯（以下、「自己経緯」）、あるいは、対象コンテンツを実行するユーザ以外の他のユーザが登録のために入力したコンテンツを取得して格納したという経緯（以下、「他者経緯」）等を含む概念である。
【００１８】
また、「複数の基準」とは、コンテンツ関連度を決定するための基準であり、具体的には、少なくとも位置基準を含む概念であり、例えば、任意で、タグ基準、画像基準、行動パターン基準、時間基準、季節基準、又は経緯基準等を含む概念である。
【００１９】
また、「位置基準」とは、位置情報に関する基準であり、例えば、各コンテンツの位置情報が特定する位置各々が相互に近いほど位置情報関連度が高くなるという基準等を含む概念である。なお、以下では、「コンテンツの位置情報」という表現のように、「コンテンツの」という表現については、「コンテンツに含まれる」こと、あるいは、「コンテンツに対応付けられている」こと等を示していることとする。
【００２０】
また、「タグ基準」とは、タグ情報に関する基準であり、例えば、各コンテンツのタグ情報が類似するほどタグ関連度が高くなるという基準、あるいは、逆に、各コンテンツのタグ情報が類似するほどタグ関連度が低くなるという基準等を含む概念である。また、タグ情報が行動に関連付けられている場合の「タグ基準」とは、例えば、基準行動パターンに関する基準を含む概念であり、一例としては、各コンテンツのタグ情報が関連する各行動が基準行動パターンに沿って行われる一連行動に類似するほどタグ関連度が高くなるという基準（以下、第１タグ基準）、あるいは、当該各行動が基準行動パターンに沿って行われる一連の行動を基準にして、各行動が相互に近いタイミングで実行される相互に異なる行動に対応するほどタグ関連度が高くなるという基準（以下、第２タグ基準）等を含む概念である。なお、第２タグ基準においては、各コンテンツのタグ情報の各行動が、基準行動パターンに沿って行われる一連の行動において、相互に同じタイミングで実行される行動にあたる場合には、対象コンテンツを実行するユーザが行う一連の行動において、対象コンテンツと同じタイミングで実行されるコンテンツに対応することになり、対象コンテンツを実行するためには有用でないものと判断して、タグ関連度が低くなるという概念も含めてもよい。
【００２１】
また、「基準行動パターン」とは、人間が行う標準的な行動パターンであり、具体的には、様々な実験結果に基づいて予め定められた行動パターンであり、例えば、管理者が予め定めた所定の行動パターン、あるいは、人間の行動パターンについてのあらゆるデータを収集して、人工知能又は機械学習の技術を用いて、当該データを解析することにより導きだされる行動パターン等を含む概念である。
【００２２】
また、「画像基準」とは、画像に関する基準であり、例えば、各コンテンツの各画像のコントラストが大きいほど画像関連度が高くなるという基準等を含む概念である。なお、「画像のコントラスト」とは、画像に含まれる色のコントラスト、あるいは、画像に写っている物を認識できる場合、当該認識した物同士の概念的な違い等を含む概念である。
【００２３】
また、「行動パターン基準」とは、行動パターンに関する基準であり、例えば、各コンテンツの各行動が、所定の行動パターンに沿って行われる一連の行動を基準にして、各行動が相互に近いタイミングで実行される相互に異なる行動に対応するほど行動パターン関連度が高くなるという基準等を含む概念である。なお、「所定の行動パターン」とは、予め定められた行動パターンであり、例えば、前述の基準行動パターンを含む概念である。
【００２４】
また、「時間基準」とは、時間に関する基準であり、例えば、各コンテンツの時間が相互に近いほど時間関連度が高くなるという基準等を含む概念である。「季節基準」とは、季節に関する基準であり、例えば、各コンテンツの季節が近いほど季節関連度が高くなるという基準等を含む概念である。「経緯基準」とは、取得経緯に関する基準であり、例えば、他のコンテンツが自己経緯である場合の取得経緯関連度が、他のコンテンツが他者経緯である場合の取得経緯関連度よりも高くなるという基準等を含む概念である。
【００２５】
また、前述の「決定手段」とは、例えば、位置基準と、タグ基準又は画像基準とに基づいて、コンテンツ関連度を決定する手段等を含む概念であり、また、少なくとも、タグ基準に基づいて、第１取得手段が取得した対象コンテンツのタグ情報に関連する行動に対する、第２取得手段が取得した他のコンテンツのタグ情報に関連する行動の、基準行動パターンを基準にしたタグ情報の関連性の度合いであるタグ情報関連度を決定し、決定したタグ情報関連度に基づいて、コンテンツ関連度を決定する手段等を含む概念であり、また、位置基準と、行動パターン基準、時間基準、季節基準、又は経緯基準と、に基づいてコンテンツ関連度を決定する手段等を含む概念である。
【００２６】
そして、以下に示す実施の形態では、「複数の基準」が、位置基準、タグ基準、及び画像基準を含む基準である場合について説明し、「複数の基準」が行動パターン基準、時間基準、季節基準、及び経緯基準を含む場合については、変形例にて説明する。
【００２７】
（構成）
まず、本実施の形態に係る情報システム１００について説明する。図１は、本発明の実施の形態に係る情報システムを例示するブロック図であり、図２は、端末装置を例示するブロック図である。情報システム１００は、決定システムを含むシステムであり、具体的には、コンテンツを共有するシステムであり、例えば、サーバ装置１、及び端末装置２を備える。なお、実際には、情報システム１００には、端末装置２が多数設けられているが、ここでは、説明の便宜上、２個の端末装置２として端末装置２０１、２０２を図示して説明する。なお、これらの端末装置２０１、２０２については、相互に区別する必要がない場合には、端末装置２と総称して説明する。
【００２８】
（構成−サーバ装置）
サーバ装置１は、例えば、図１に示すように、通信部１１、データ記録部１２、及び制御部１３を備える。
【００２９】
（構成−サーバ装置−通信部）
通信部１１は、ネットワーク（図示省略）を介して外部装置（例えば、端末装置２等）との間で通信するための通信手段である。この通信部１１の具体的な種類や構成は任意であるが、例えば、公知の有線又は無線通信回路等を備えて構成することができる。
【００３０】
（構成−サーバ装置−データ記録部）
データ記録部１２は、サーバ装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００３１】
また、このデータ記録部１２は、地図情報データベース（以下、データベースを「ＤＢ」と称する）１２１、コンテンツ情報ＤＢ１２２、及びタグ行動情報ＤＢ１２３を備える。
【００３２】
（構成−サーバ装置−データ記録部−地図情報ＤＢ）
地図情報ＤＢ１２１は、地図情報を格納する地図情報格納手段である。ここで、「地図情報」とは、ユーザに対して地図を提示するための情報であり、具体的には、道路、道路の交差点、道路構造物、施設等を含む各種の位置の特定に必要な情報であり、例えば、道路上に設定された各ノードに関するノードデータ（例えばノードＩＤ、座標等）や、道路上に設定された各リンクに関するリンクデータ（例えばリンクＩＤ（なお、リンクＩＤは地図情報の位置を特定する座標に関連付けられている）、リンク名、接続ノードＩＤ、道路座標、道路種別（例えば、細街路、一般道路、主要国道、及び高速道路等）、道路幅、道路に設けられている車線数、道路に設けられている各車線を一意に識別する車線ＩＤ、道路の進行方向等）、地物データ（例えば信号機、道路標識、ガードレール、施設等）、地形データ等を含んで構成されている。そして、このような地図情報ＤＢ１２１の地図情報については、任意の手法で記録されるが、例えば、所定の記録媒体を介して入力することにより記録されたり、不図示の配信センターから配信された情報を受信することにより記録されたりする（後述する地図情報ＤＢ２７１の地図情報も同様とする）。
【００３３】
（構成−サーバ装置−データ記録部−コンテンツ情報ＤＢ）
コンテンツ情報ＤＢ１２２は、コンテンツ情報を格納するコンテンツ情報格納手段である。ここで、「コンテンツ情報」とは、コンテンツ（他のコンテンツ）を特定する情報である。図３は、コンテンツ情報を例示した図である。なお、図３における「・・・」については、実際には情報が格納されているが、説明の便宜上、図示を省略していることを表している（他の各図も同様とする）。また、図３における「−」については、何らの情報も格納されていないことを表している（他の各図も同様とする）。この図３に示すように、コンテンツ情報は、例えば、項目「コンテンツＩＤ」、項目「テキスト情報」、項目「日時情報」、項目「画像情報」、項目「タグ情報」、及び項目「位置情報」と、各項目に対応する情報とを相互に関連付けて格納している。項目「コンテンツＩＤ」に対応する情報は、コンテンツを一意に識別すコンテンツ識別情報（以下、識別情報を「ＩＤ」と称する）である（図３では、「ＩＤｃ００１」等）。項目「テキスト情報」に対応する情報は、テキストを特定するテキスト情報である（図３では、「浴衣着付け」等）。項目「日時情報」に対応する情報は、コンテンツを実施することを予定している日時を特定する日時情報である（図３では、２０１７年０７月３０日の１５時００分を特定する「２０１７０７３０１５００」等）。なお、図３のコンテンツ情報について、実施することを予定していた情報ではなく、単に登録された情報であることも想定されるが、この場合、当該日時情報が記録されないことになる。項目「画像情報」に対応する情報は、画像を特定する画像情報である（図３では、画像ファイルであり「Ｆｉｌｅ００１−ｊｐｇ」等）。項目「タグ情報」に対応する情報は、前述のタグ情報である（図３では、記号又は文字の情報であり「＃Ｗｅａｒ」等）。項目「位置情報」に対応する情報は、地図上の位置を特定する位置情報である（図３では、コンテンツ情報に関連する場所としてユーザが指定した位置等であり、地図情報ＤＢ１２１の地図情報が特定する地図上の座標であり「（ｘ１，ｙ１）」等）。なお、この座標である「（ｘ１，ｙ１）」等については、便宜上の記載であることとする。そして、このようなコンテンツ情報ＤＢ１２２のコンテンツ情報については、任意の手法で記録されるが、例えば、情報システム１００のユーザが自己の端末装置２を用いて対応する情報を生成し、当該生成した情報を、サーバ装置１に送信することにより、記録される。
【００３４】
（構成−サーバ装置−データ記録部−コンテンツ情報ＤＢ）
タグ行動情報ＤＢ１２３は、タグ行動情報を格納するタグ行動情報格納手段である。ここで、「タグ行動情報」とは、タグ情報に関連する行動を特定する情報である。図４は、タグ行動情報を例示した図である。この図４に示すように、タグ行動情報は、例えば、項目「タグ情報」、及び項目「行動情報」と、各項目に対応する情報とを相互に関連付けて格納している。なお、項目「タグ情報」に対応する情報は、図３の同一名称の情報と同様である。項目「行動情報」に対応する情報は、タグ情報に関連する行動を特定する行動情報である（図４では、外出準備を行うことを特定する「外出準備」、購入することを特定する「購入」等）。
【００３５】
そして、このようなタグ行動情報ＤＢ１２３のタグ行動情報については、任意の手法で記録されるが、例えば、管理者が、タグ情報と人間の行動との関係を特定する情報を収集した上で、当該収集した情報に基づいて、各タグ情報に対応する行動を集計し、集計数が多い順に任意の行動を各タグ情報に対応付ける処理を行い、この処理結果をサーバ装置１に入力することにより記録してもよい。あるいは、サーバ装置１の制御部１３が、これらの処理（情報収集も含む）を自動的に行って記録してもよいし、あるいは、図３のコンテンツ情報に基づいて図４のタグ行動情報を生成して記録してもよい。なお、図３のコンテンツ情報に基づいて図４のタグ行動情報を生成して記録する場合、テキスト情報についてテキストマイニングを行った上で、行動を推定した上で集計し、前述の処理を行うことにより記録してもよい。
【００３６】
（構成−サーバ装置−制御部）
制御部１３は、サーバ装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（端末装置２の制御部２８も同様とする）。特に、実施の形態に係るプログラムは、任意の記録媒体又はネットワークを介してサーバ装置１にインストールされることで、制御部１３の各部を実質的に構成する（端末装置２の制御部２８も同様とする）。なお、制御部１３の各部により行われる処理については、後述する。
【００３７】
（構成‐端末装置）
端末装置２は、決定システムであって、携帯端末であり、例えば、図２に示すように、通信部２１、タッチパッド２２、ディスプレイ２３、位置検出部２４、カメラ２５、スピーカ２６、データ記録部２７、及び制御部２８を備える。
【００３８】
（構成‐端末装置‐通信部）
通信部２１は、ネットワーク（図示省略）を介して外部装置（例えば、サーバ装置１又はインターネット上の他の任意のサーバ装置等）との間で通信するための通信手段である。この通信部２１の具体的な構成は任意であるが、例えば、サーバ装置１の通信部１１と同様にして構成することができる。
【００３９】
（構成‐端末装置‐タッチパッド）
タッチパッド２２は、ユーザの指等で押圧されることにより、当該ユーザから各種操作入力を受け付ける操作手段である。このタッチパッド２２の具体的な構成は任意であるが、例えば、抵抗膜方式や静電容量方式等による操作位置検出手段を備えた公知のものを用いることができる。
【００４０】
（構成‐端末装置‐ディスプレイ）
ディスプレイ２３は、制御部２８の制御に基づいて各種の画像を表示する画像表示手段である。このディスプレイ２３の具体的な構成は任意であるが、例えば、公知の液晶ディスプレイや有機ＥＬディスプレイの如きフラットパネルディスプレイ等を用いることができる。なお、上記のタッチパッド２２とディスプレイ２３とをタッチパネルとして一体形成しても構わない。
【００４１】
（構成‐端末装置‐位置検出部）
位置検出部２４は、端末装置２の現在位置（例えば、地図上の座標）を取得する現在位置取得手段である。この位置検出部２４の具体的な構成は任意であるが、例えば、ＧＰＳやジャイロセンサ（方位を測定する手段）、距離センサ（いずれも図示省略）を有し、現在の端末装置２の位置（座標）及び方位等を公知の方法にて検出する。
【００４２】
（構成‐端末装置‐カメラ）
カメラ２５は、撮像を行って画像を取得する撮像手段である。このカメラ２５が撮像した画像は制御部２８に入力されて、データ記録部２７に適宜記録される。カメラ２５の具体的な構成は任意で、例えばＣＭＯＳイメージセンサやＣＣＤイメージセンサ等の公知の撮像素子、及び魚眼レンズやプリズム等の公知の光学系部品を用いて構成されている。
【００４３】
（構成‐端末装置‐スピーカ）
スピーカ２６は、音声を出力する音声出力手段である。このスピーカ２６の具体的な構成は任意で、例えば、振動板やコイル等を備えて構成されている。
【００４４】
（構成‐端末装置‐データ記録部）
データ記録部２７は、端末装置２の動作に必要なプログラム及び各種のデータを記録する記録手段であり、例えば、地図情報ＤＢ２７１、及び予定コンテンツ情報ＤＢ２７２を備える。
【００４５】
（構成−端末装置−データ記録部−地図情報ＤＢ）
地図情報ＤＢ２７１は、地図情報を格納する地図情報格納手段であり、例えば、サーバ装置１の地図情報ＤＢ１２１と同様にして構成することができる。
【００４６】
（構成−サーバ装置−データ記録部−予定コンテンツ情報ＤＢ）
予定コンテンツ情報ＤＢ２７２は、予定コンテンツ情報を格納する予定コンテンツ情報格納手段である。ここで、「予定コンテンツ情報」とは、実施することを予定しているコンテンツ（対象コンテンツ）を特定する情報である。図５は、予定コンテンツ情報を例示した図である。予定コンテンツ情報は、この図５示すように、例えば、項目「コンテンツＩＤ」、項目「テキスト情報」、項目「日時情報」、項目「画像情報」、項目「タグ情報」、及び項目「位置情報」と、各項目に対応する情報とを相互に関連付けて格納している。なお、これらの各項目に対応する情報は、基本的には、図３の同一名称の項目の情報と同様であるが、特に、項目「日時情報」に対応する情報は、コンテンツの実施を予定している日時を特定する日時情報である。そして、このような予定コンテンツ情報ＤＢ２７２の予定コンテンツ情報については、任意の手法で記録されるが、例えば、端末装置２のユーザがタッチパッド２２を介する所定操作を行うことにより対応する情報を生成し、当該生成した情報を入力することにより、制御部２８によって記録されることとする。
【００４７】
（構成−端末装置−制御部）
制御部２８は、端末装置２を制御する制御手段である。制御部２８は、例えば、機能概念的に、第１取得部２８１、第２取得部２８２、及び決定部２８３を備える。第１取得部２８１は、対象コンテンツを取得する第１取得手段である。第２取得部２８２は、他のコンテンツを取得する第２取得手段である。決定部２８３は、位置情報に関する基準である位置基準を含む複数の基準に基づいて、第１取得部２８１が取得した対象コンテンツに対する、第２取得部２８２が取得した他のコンテンツの関連性の度合いであるコンテンツ関連度を決定する決定手段である。なお、この制御部２８の各部により行われる処理については、後述する。
【００４８】
（処理）
次に、このように構成される情報システム１００によって実行される出力処理について説明する。図６は、出力処理のフローチャートである（以下の各処理の説明ではステップを「Ｓ」と略記する）。出力処理は、概略的には、端末装置２にて行われる処理であり、具体的には、コンテンツ関連度を決定する処理である。この出力処理を実行するタイミングは任意であるが、例えば、端末装置２の電源をオンした場合に、繰り返し起動されて実行を開始することとして、実行を開始したところから説明する。
【００４９】
図６のＳＡ１において第１取得部２８１は、対象コンテンツを取得する。具体的には任意であるが、例えば、図５の予定コンテンツ情報を参照して、任意の検索条件で予定コンテンツ情報を検索し、検索した予定コンテンツ情報を、対象コンテンツとして取得する。なお、ここでの検索条件としては、ユーザが任意に設定することができることとし、例えば、「本日実施することが予定されているコンテンツを特定している」という条件が設定されている場合を例示して説明する。ここでは、例えば、図５の日時情報を参照して、本日の日付に対応する予定コンテンツ情報を検索し、検索した予定コンテンツ情報を取得するが、一例としては、図５の「コンテンツＩＤ」＝「ＩＤｓ００１」の予定コンテンツ情報を取得する。
【００５０】
図６のＳＡ２において第２取得部２８２は、他のコンテンツを取得する。具体的には任意であるが、例えば、通信部２１を介してサーバ装置１のコンテンツ情報ＤＢ１２２にアクセスし、コンテンツ情報ＤＢ１２２のコンテンツ情報を、他のコンテンツとして取得する。なお、ここでは、取得する情報量が膨大になる場合、取得条件を設定し、設定した取得条件に合致するコンテンツ情報を取得するように構成してもよい。なお、ここでの取得条件については、ユーザが任意に設定することができることとし、例えば、図３の日時情報に着目して任意の日時範囲に該当する情報を取得する条件を設定したり、あるいは、位置情報に着目して端末装置２の現在位置（位置検出部２４が取得した現在位置）を基準に所定範囲（例えば、１０ｋｍ〜２０ｋｍ以内の範囲等）に該当する情報を取得する条件を設定したりしてもよい。ここでは、例えば、図３のコンテンツ情報を取得する。
【００５１】
図６のＳＡ３において決定部２８３は、１個の他のコンテンツを選択する。具体的には任意であるが、例えば、図３のコンテンツ情報（ＳＡ２で取得したコンテンツ情報）における未だ選択されていない１個のコンテンツ情報（コンテンツＩＤ、テキスト情報、日時情報、画像情報、タグ情報、及び位置情報の組み合わせの情報）を選択する。ここでは、例えば、図３の「コンテンツＩＤ」＝「ＩＤｃ００１」に対応する情報を取得する。
【００５２】
図６のＳＡ４において決定部２８３は、位置基準に基づいて、前述の位置情報関連度を決定する。具体的には任意であるが、例えば、位置情報関連度を、「１」〜「１０」の数値（数値が大きいほど関連度が高い）にて示す場合について説明する（後述するタグ情報関連度、及び画像関連度も同様とする）。また、「位置基準」として、前述したように、各コンテンツの位置情報が特定する位置各々が相互に近いほど位置情報関連度が高くなるという基準が設定されており、具体的には、各コンテンツの位置情報が特定する位置の間の距離と比較する閾値（一例としては、位置情報関連度である「１０」と「９」とを分ける閾値である「１００ｍ」、位置情報関連度である「９」と「８」とを分ける閾値である「２００ｍ」等）が設定されており、この閾値と比較することにより位置情報関連度を決定する場合を例示して説明する。
【００５３】
ＳＡ４についてより具体的には、地図情報ＤＢ２７１の地図情報が特定する地図を参照して、ＳＡ１で取得した予定コンテンツ情報の位置情報が特定する位置と、ＳＡ３で選択したコンテンツ情報の位置情報が特定する位置との間の距離を特定し、特定した距離と前述の閾値とを比較して、位置情報関連度を決定する。ここでは、例えば、図５の「コンテンツＩＤ」＝「ＩＤｓ００１」の予定コンテンツ情報の「位置情報」である「（ｘ１０，ｙ１０）」が特定する位置と、図３の「コンテンツＩＤ」＝「ＩＤｃ００１」のコンテンツ情報の「位置情報」である「（ｘ１，ｙ１）」が特定する位置との間の距離が「１５０ｍ」である場合、例えば、位置情報関連度として「９」を決定する。
【００５４】
図６のＳＡ５において決定部２８３は、タグ基準に基づいて、タグ情報関連度を決定する。具体的には任意であるが、例えば、「タグ基準」として、前述したように、各コンテンツのタグ情報が関連する各行動が基準行動パターンに沿って行われる一連の行動を基準にして、各行動が相互に近いタイミングで実行される相互に異なる行動に対応するほどタグ関連度が高くなるという基準（つまり、第２タグ基準）が設定されており、具体的には、図４の行動情報が特定する行動各々の間のタグ情報関連度を特定するタグ情報関連度特定情報（一例としては、第２タグ基準を基準にして定義された情報であり、「外出準備」と「イベント参加」とのタグ情報関連度が「１０」であり、「購入」と「イベント参加」とのタグ情報関連度が「８」である等を特定する情報）が、サーバ装置１のデータ記録部１２に記録されていることとして説明する。
【００５５】
ＳＡ５についてより具体的には、通信部２１を介してサーバ装置１にアクセスして、ＳＡ１で取得した予定コンテンツ情報のタグ情報と、ＳＡ３で選択したコンテンツ情報のタグ情報とを取得し、図４のタグ行動情報を参照して、これらの各タグ情報に関連する行動情報を取得し、前述のタグ情報関連度特定情報を参照して、取得したこれらの行動情報に対応するタグ情報関連度を決定する。ここでは、例えば、ＳＡ１で取得した予定コンテンツ情報のタグ情報としての図５の「＃ｆｉｒｅｗｏｒｋ」と、ＳＡで選択したコンテンツ情報のタグ情報としての図３の「＃Ｗｅａｒ」、「＃Ｃｕｔｅ」とを取得し、図４のタグ行動情報を参照して、「＃ｆｉｒｅｗｏｒｋ」に対する「イベント参加」と、「＃Ｗｅａｒ」に対する「外出準備」及び「＃Ｃｕｔｅ」に対する「購入」とを取得し、前述のタグ情報関連度特定情報を参照して、「外出準備」と「イベント参加」とのタグ情報関連度である「１０」、「購入」と「イベント参加」とのタグ情報関連度である「８」を特定する。この場合、タグ情報関連度が「１０」及び「８」の２個が特定されるので、このように複数個特定される場合、平均値を演算して当該平均値をタグ情報関連度として決定することとし、ここでは、例えば、タグ情報関連度として「９」を決定する。
【００５６】
図６のＳＡ６において決定部２８３は、画像基準に基づいて、画像関連度を決定する。具体的には任意であるが、例えば、「画像基準」として、前述したように、各コンテンツの各画像のコントラストが大きいほど画像関連度が高くなるという基準が設定されており、具体的には、画像に含まれる色のコントラストから画像関連度を演算する演算式がデータ記録部２７に記録されていることとして説明する。
【００５７】
ＳＡ６についてより具体的には、ＳＡ１で取得した予定コンテンツ情報の画像情報と、ＳＡ３で選択したコンテンツ情報の画像情報とを取得し、これらの取得した画像情報相互間のコントラストを任意の手法（例えば、画素毎に色を識別する手法等）で特定し、データ記録部２７の演算式を用いて、特定したコントラストについて画像関連度を演算する。ここでは、例えば、ＳＡ１で取得した予定コンテンツ情報の画像情報としての図５の「Ｆｉｌｅ１０１−ｊｐｇ」と、ＳＡ２で取得したコンテンツ情報の画像情報としての図３の「Ｆｉｌｅ００１−ｊｐｇ」とを取得し、これらの取得した画像情報相互間のコントラストを任意の手法で特定し、データ記録部２７の演算式を用いて、特定したコントラストについて画像関連度を演算するが、ここでは、例えば、画像関連度として「８」を決定する。
【００５８】
図６のＳＡ７において決定部２８３は、ＳＡ１で取得した予定コンテンツ情報と、ＳＡ３で選択したコンテンツ情報とのコンテンツ関連度を決定する。具体的には任意であるが、例えば、ＳＡ４〜ＳＡ６で決定した各関連度を取得し、取得した各関連度に基づいてコンテンツ関連度を決定する。ここでのコンテンツ関連度を決定する具体的な手法も任意であるが、例えば、ＳＡ４〜ＳＡ６の各関連度に任意の重み付けを行って合計値を算出した上で、算出した合計値をコンテンツ関連度として決定してもよいが、ここでは、重みづけを行わずに単純な合計値をコンテンツ関連度として決定することとして説明する。ここでは、例えば、位置情報関連度としての「９」、タグ情報関連度としての「９」、及び画像関連度としての「８」を取得し、コンテンツ関連度として「２６」を決定する。
【００５９】
図６のＳＡ８において決定部２８３は、全てについてコンテンツ関連度を決定したか否かを判定する。具体的には任意であるが、例えば、図３のコンテンツ情報（ＳＡ２で取得したコンテンツ情報）がＳＡ３で全て選択されたか否かに基づいて判定する。そして、全て選択されたわけではない場合（未だ選択されていないコンテンツ情報が存在する場合）、全てについてコンテンツ関連度を決定していないものと判定し（ＳＡ８のＮＯ）、ＳＡ３に移行する。また、全て選択された場合、全てについてコンテンツ関連度を決定したものと判定し（ＳＡ８のＹＥＳ）、ＳＡ９に移行する。ここでは、例えば、ＳＡ３〜ＳＡ８の処理を繰り返し行った後、全てについてコンテンツ関連度を決定したものと判定する。
【００６０】
図６のＳＡ９において決定部２８３は、情報を出力する。なお、「情報を出力する」とは、例えば、表示出力すること、及び音声出力することを含む概念であるが、ここでは、例えば、表示出力する場合について説明する。具体的には任意であるが、例えば、ＳＡ１で取得した予定コンテンツ情報に加えて、ＳＡ２で取得したコンテンツ情報を、ディスプレイ２３に表示して出力するが、特に、ディスプレイ２３の表示領域が限られているので、ＳＡ２で取得したコンテンツ情報については優先順位を付けて出力する。詳細には、まず、ＳＡ７で決定したコンテンツ関連度を基準にして、コンテンツ関連度が高いほど優先順位が高く（つまり、優先される度合いが高く）なるように、ＳＡ２で取得したコンテンツ情報に優先順位を設定した上で、ディスプレイ２３における一部の領域に、ＳＡ１で取得した予定コンテンツ情報を表示し、また、ディスプレイ２３における他の一部の領域に、設定した優先順位が高いものほど上側に表示されるように、ＳＡ２で取得したコンテンツ情報を表示する。なお、このコンテンツ情報についてスクロールすることにより、優先順位に従って全てのコンテンツ情報を視認できるように表示してもよい。これにて、出力処理を終了する。
【００６１】
（実施の形態の効果）
このように本実施の形態によれば、複数の基準に基づいて、コンテンツ関連度を決定することにより、例えば、多面的な側面からコンテンツの関連度を決定することができるので、対象コンテンツである予定コンテンツ情報に関して行動するユーザに対して、当該行動に関する有用な他のコンテンツであるコンテンツ情報を出力することが可能となる。特に、複数の基準が位置基準を含んでいるので、ユーザが予定コンテンツ情報に関して行動する場合に重要となる項目の１つである位置を考慮してコンテンツ関連度を決定することができ、有用なコンテンツ情報を確実に出力することが可能となる。
【００６２】
また、位置基準と、タグ基準又は画像基準とに基づいて、コンテンツ関連度を決定することにより、例えば、タグ情報や画像を考慮してコンテンツ関連度を決定することができるので、有用なコンテンツ情報を確実に出力することが可能となる。
【００６３】
また、予定コンテンツ情報のタグ情報に関連する行動に対する、コンテンツ情報のタグ情報に関連する行動の、基準行動パターンを基準にしたタグ情報の関連性の度合いであるタグ情報関連度を決定し、決定したタグ情報関連度に基づいて、コンテンツ関連度を決定することにより、例えば、ユーザが行動パターンに従って順次行う行動に則してコンテンツ関連度を決定することができるので、有用なコンテンツ情報を確実に出力することが可能となる。特に、例えば、予定コンテンツ情報に関して行動するユーザに対して、当該予定コンテンツ情報に関する行動の前後の行動に関連するコンテンツをコンテンツ情報として出力することが可能となる。
【００６４】
〔実施の形態に対する変形例〕
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００６５】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００６６】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。また、本出願における「装置」とは、単一の装置によって構成されたものに限定されず、複数の装置によって構成されたものを含む。例えば、端末装置２の機能の少なくとも一部をサーバ装置１に設けた上で、端末装置２とサーバ装置１とが相互に通信を行うことにより、実施の形態と同様な処理を行うように構成してもよい。また、逆に、サーバ装置１の機能の少なくとも一部を端末装置２に設けてもよい。また、サーバ装置１又は端末装置２の少なくとも一部の機能を車載用のナビゲーションシステムに組み込んでもよい。
【００６７】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００６８】
（タグ情報関連度について）
また、上記実施の形態では、図６のＳＡ５において、タグ情報関連度特定情報（一例としては、第２タグ基準を基準にして定義された情報であり、「外出準備」と「イベント参加」とのタグ情報関連度が「１０」であり、「購入」と「イベント参加」とのタグ情報関連度が「８」である等を特定する情報）が、サーバ装置１のデータ記録部１２に記録されており、当該タグ情報関連度特定情報を用いて、タグ情報関連度を決定する場合を例示したが、これに限らない。例えば、サーバ装置１のデータ記録部１２に、ユーザの複数種類の基準行動パターンが記録されており、決定部２８３が、ＳＡ１で取得した予定コンテンツ情報のタグ情報と、ＳＡ３で選択したコンテンツ情報のタグ情報とを取得し、図４のタグ行動情報を参照して、これらの各タグ情報に関連する行動情報を取得し、取得した各行動情報が特定する各行動を、基準行動パターンに当てはめる処理を行い、複数種類の基準行動パターンのうちの、相互に同じ基準行動パターンに当てはめられた場合のタグ情報関連度が、複数種類の基準行動パターンのうちの、相互に同じ基準行動パターンに当てはめられなかった場合のタグ情報関連度よりも高くなるように決定したり、あるいは、相互に同じ基準行動パターンに当てはめられた場合において、当該基準行動パターンにおける一連の行動のうちの実行されるタイミングが近くなる程、タグ情報関連度が高くなるように（ただし、当該タイミングが相互に同じになる場合、タグ情報関連度が最低となるように）、決定してもよい。つまり、タグ基準を基準にする限りにおいて、任意の処理を適用してもよい。
【００６９】
（複数の基準について）
また、上記実施の形態では、位置基準、タグ基準、及び画像基準を複数の基準として用いる場合を例示して説明したが、これに限らない。例えば、複数の基準としては、少なくとも位置基準を含んでいればよく、更なる基準としては、タグ基準、画像基準、行動パターン基準、時間基準、季節基準、又は経緯基準のうちの少なくとも１個以上を用いてもよい。この場合、実施の形態で説明した処理と同様な処理を行ってもよいが、特に、以下に示す処理を行ってもよい。このように構成した場合、位置基準と、行動パターン基準、時間基準、季節基準、又は経緯基準とに基づいて、コンテンツ関連度を決定することにより、例えば、行動パターン、時間、季節、又はコンテンツの取得経緯を考慮してコンテンツ関連度を決定することができるので、有用な他のコンテンツを確実に出力することが可能となる。
【００７０】
例えば、行動パターン基準を用いる場合の具体的な実装手法は任意であるが、例えば、図４の行動情報を、図３のコンテンツ情報及び図５の予定コンテンツ情報に対応付けて格納した上で、決定部２８３が、格納されている行動情報に着目して、行動パターン基準に基づいて、行動パターン関連度を決定した上で、決定した行動パターン関連度も含めてコンテンツ関連度を決定するように実装してもよい。
【００７１】
また、例えば、時間基準を用いる場合の具体的な実装手法は任意であるが、例えば、決定部２８３が、図３及び図４の日時情報における時間に着目して、時間基準に基づいて、時間関連度を決定した上で、決定した時間関連度も含めてコンテンツ関連度を決定するように実装してもよい。
【００７２】
また、例えば、季節基準を用いる場合の具体的な実装手法は任意であるが、例えば、決定部２８３が、図３及び図４の日時情報における日付から季節を決定し、決定した季節に着目して、季節基準に基づいて、季節関連度を決定した上で、決定した季節関連度も含めてコンテンツ関連度を決定するように実装してもよい。
【００７３】
また、例えば、経緯基準を用いる場合の具体的な実装手法は任意であるが、例えば、図３のコンテンツ情報に、当該コンテンツ情報を登録した（つまり、送信して記録させた）ユーザのユーザＩＤを対応付けて格納した上で、決定部２８３が、格納されているユーザＩＤから、コンテンツ情報の経緯として自己経緯又は他者経緯を特定した上で、特定した自己経緯又は他者経緯に着目して、経緯基準に基づいて、取得経緯関連度を決定した上で、決定した取得経緯関連度も含めてコンテンツ関連度を決定するように実装してもよい。
【００７４】
（情報の出力について）
また、上記実施の形態において、他のコンテンツ（つまり、ＳＡ２で取得したコンテンツ情報）を、設定した優先順位が高いものほど上側に表示される場合を例示したが、これに限らない。例えば、優先順位が所定の順位（例えば、５番目〜７番目等）までのもののみを表示するようにしてもよいし、あるいは、優先順位に応じた出力態様にて出力するようにしてもよい。ここで、「出力態様」とは、情報の出力のありさまであり、具体的には、表示出力のありさま、及び音声出力のありさま等を含む概念であり、例えば、表示するか否か、表示サイズ、表示位置、表示順序、表示色、点滅表示、及び強調表示等を含む概念であり、また、音声出力するか否か、音声出力順序、及び音声ボリューム等を含む概念である。
【００７５】
〔実施の形態の特徴と効果の一部〕
最後に、これまでに説明した実施の形態の特徴と効果の一部を、以下に例示する。ただし、実施の形態の特徴と効果は、以下の内容に限定されず、以下の特徴の一部のみを具備することによって以下の効果の一部のみを奏する場合や、以下の特徴以外の他の特徴を具備することによって以下の効果以外の他の効果を奏する場合がある。
【００７６】
実施の形態の１つの側面１に係る決定システムは、対象コンテンツを取得する第１取得手段と、他のコンテンツを取得する第２取得手段と、位置情報に関する基準である位置基準を含む複数の基準に基づいて、前記第１取得手段が取得した対象コンテンツに対する、前記第２取得手段が取得した他のコンテンツの関連性の度合いであるコンテンツ関連度を決定する決定手段と、を備える。
【００７７】
上記側面１に係る決定システムによれば、複数の基準に基づいて、コンテンツ関連度を決定することにより、例えば、多面的な側面からコンテンツの関連度を決定することができるので、対象コンテンツに関して行動するユーザに対して、当該行動に関する有用な他のコンテンツを出力することが可能となる。特に、複数の基準が位置基準を含んでいるので、ユーザが対象コンテンツに関して行動する場合に重要となる項目の１つである位置を考慮してコンテンツ関連度を決定することができ、有用な他のコンテンツを確実に出力することが可能となる。
【００７８】
実施の形態の他の側面２に係る決定システムは、上記側面１に係る決定システムにおいて、前記複数の基準は、タグ情報に関する基準であるタグ基準、又は画像に関する基準である画像基準を更に含んでおり、前記決定手段は、前記位置基準と、前記タグ基準又は前記画像基準とに基づいて、前記コンテンツ関連度を決定する。
【００７９】
上記側面２に係る決定システムによれば、位置基準と、タグ基準又は画像基準とに基づいて、コンテンツ関連度を決定することにより、例えば、タグ情報や画像を考慮してコンテンツ関連度を決定することができるので、有用な他のコンテンツを確実に出力することが可能となる。
【００８０】
実施の形態の他の側面３に係る決定システムは、上記側面２に係る決定システムにおいて、前記タグ情報は、行動に関連付けられており、前記複数の基準は、前記タグ基準を更に含んでおり、前記タグ基準は、基準行動パターンに関する基準を含んでおり、前記決定手段は、少なくとも、前記タグ基準に基づいて、前記第１取得手段が取得した対象コンテンツの前記タグ情報に関連する行動に対する、前記第２取得手段が取得した他のコンテンツの前記タグ情報に関連する行動の、前記基準行動パターンを基準にした前記タグ情報の関連性の度合いであるタグ情報関連度を決定し、決定したタグ情報関連度に基づいて、前記コンテンツ関連度を決定する。
【００８１】
上記側面３に係る決定システムによれば、対象コンテンツのタグ情報に関連する行動に対する、他のコンテンツのタグ情報に関連する行動の、基準行動パターンを基準にしたタグ情報の関連性の度合いであるタグ情報関連度を決定し、決定したタグ情報関連度に基づいて、コンテンツ関連度を決定することにより、例えば、ユーザが行動パターンに従って順次行う行動に則してコンテンツ関連度を決定することができるので、有用な他のコンテンツを確実に出力することが可能となる。特に、例えば、対象コンテンツに関して行動するユーザに対して、当該対象コンテンツに関する行動の前後の行動に関連するコンテンツを他のコンテンツとして出力することが可能となる。
【００８２】
実施の形態の他の側面４に係る決定システムは、上記側面１から３の何れかに係る決定システムにおいて、前記複数の基準は、行動パターンに関する基準である行動パターン基準、時間に関する基準である時間基準、季節に関する基準である季節基準、又はコンテンツの取得の経緯に関する基準である経緯基準を更に含んでおり、前記決定手段は、前記位置基準と、前記行動パターン基準、前記時間基準、前記季節基準、又は前記経緯基準とに基づいて、前記コンテンツ関連度を決定する。
【００８３】
上記側面４に係る決定システムによれば、位置基準と、行動パターン基準、時間基準、季節基準、又は経緯基準とに基づいて、コンテンツ関連度を決定することにより、例えば、行動パターン、時間、季節、又はコンテンツの取得経緯を考慮してコンテンツ関連度を決定することができるので、有用な他のコンテンツを確実に出力することが可能となる。
【００８４】
実施の形態の１つの側面５に係る決定プログラムは、コンピュータを、対象コンテンツを取得する第１取得手段と、他のコンテンツを取得する第２取得手段と、位置情報に関する基準である位置基準を含む複数の基準に基づいて、前記第１取得手段が取得した対象コンテンツに対する、前記第２取得手段が取得した他のコンテンツの関連性の度合いであるコンテンツ関連度を決定する決定手段と、として機能させる。
【００８５】
上記側面５に係る決定プログラムによれば、複数の基準に基づいて、コンテンツ関連度を決定することにより、例えば、多面的な側面からコンテンツの関連度を決定することができるので、対象コンテンツに関して行動するユーザに対して、当該行動に関する有用な他のコンテンツを出力することが可能となる。特に、複数の基準が位置基準を含んでいるので、ユーザが対象コンテンツに関して行動する場合に重要となる項目の１つである位置を考慮してコンテンツ関連度を決定することができ、有用な他のコンテンツを確実に出力することが可能となる。
【符号の説明】
【００８６】
１  サーバ装置
２  端末装置
１１  通信部
１２  データ記録部
１３  制御部
２１  通信部
２２  タッチパッド
２３  ディスプレイ
２４  位置検出部
２５  カメラ
２６  スピーカ
２７  データ記録部
２８  制御部
１００  情報システム
１２１  地図情報ＤＢ
１２２  コンテンツ情報ＤＢ
１２３  タグ行動情報ＤＢ
２０１  端末装置
２０２  端末装置
２７１  地図情報ＤＢ
２７２  予定コンテンツ情報ＤＢ
２８１  第１取得部
２８２  第２取得部
２８３  決定部
【図１】
2020017092.tif 000003
【図２】
2020017092.tif 000004
【図３】
2020017092.tif 000005
【図４】
2020017092.tif 000006
【図５】
2020017092.tif 000007
【図６】
2020017092.tif 000008